(57)【要約】  ワイヤー連結要素（５，６）を保持する接地ターミナルハウシング（１）と、特徴部分である故障検出装置（２）を備えた、地絡状態にアクセス可能とする電気的な接地ターミナルブロックである。本発明の接地ターミナルブロックは、地絡を表示するための信号発信手段（１１）を備える。故障電流は、上部連結要素を介して、前記接地ターミナルブロックの前記故障検出装置によって検出される。
2011503572.tif 000002
【特許請求の範囲】
【請求項１】
ハウシングと、
第1及び第2ワイヤー接続部と、
前記第1及び第2ワイヤー接続部とそれぞれ連結する第1及び第2連結要素と、
前記第2連結要素と連結する締め付け装置とを有する接地ターミナルブロックにおいて、
前記第1連結要素と前記締め付け装置とに連結する故障検出装置をさらに備えたことを特徴とする接地ターミナルブロック。
【請求項２】
前記故障検出装置が信号発信手段と連結している、請求項１記載の接地ターミナルブロック。
【請求項３】
前記信号発信手段が音響信号発信手段である、請求項２記載の接地ターミナルブロック。
【請求項４】
前記信号発信手段が光信号発信手段である、請求項２記載の接地ターミナルブロック。
【請求項５】
前記光信号発信手段が故障強度表示のための様々の色を表示する、請求項４記載の接地ターミナルブロック。
【請求項６】
故障が起こった後も信号発信を持続するための手段をさらに備える、請求項１から５記載の接地ターミナルブロック。
【請求項７】
前記信号発信手段が地絡の原因を特定するために、少なくとも1つの発光ダイオード（LED）を備える、請求項４記載の接地ターミナルブロック。
【請求項８】
前記ハウシングが、標準サイズの接地ターミナルブロックの形態に形成されている、請求項１から７のいずれか一つに記載の接地ターミナルブロック。
【請求項９】
前記ハウシングの一側面がDINレールに取り付け可能である、請求項１から８のいずれか一つに記載の接地ターミナルブロック。
【請求項１０】
前記信号発信のためのLEDが、前記ハウシングの正面のどこにでも置かれアクセスできる、請求項４記載の接地ターミナルブロック。
【請求項１１】
前記故障検出装置が上部連結要素からDINレール連結される、請求項１から１０のいずれか一つに記載の接地ターミナルブロック。
【請求項１２】
前記故障検出装置が下部連結要素からDINレール連結される、請求項１から１１のいずれか一つに記載の接地ターミナルブロック。
【請求項１３】
前記信号発信手段が、電力を回復させることなく小さな故障電流を表示するように作動する、請求項１から１２のいずれか一つに記載の接地ターミナルブロック。
【請求項１４】
前記接地ターミナルブロックが、一つのターミナルブロックのハウジング内で、相線、中性線、接地線がそれぞれ別々に連結されるマルチターミナルブロックである、請求項１から１３のいずれか一つに記載の接地ターミナルブロック。
【請求項１５】
請求項１から１４に記載の接地ターミナルブロックにおいて地絡電流故障箇所にアクセス可能とするためのシステム。
【発明の詳細な説明】
【技術分野】
【０００１】
本発明は、電気端末装置、特に接地ターミナルブロックアセンブリの分野に関する。
【背景技術】
【０００２】
接地ターミナルブロックは、金属締め付け棒を用いることによって別個のワイヤーをＤＩＮレールへ連結するために使用されてきた。接地ターミナルブロックはまた、接地接続のための別個のワイヤーを内部接続により連結しているが、金属の締め付け具を備えていない。接地ターミナルブロックの主な目的は、電気接続部にアクセス可能とすることである。ターミナルブロックは、有効電流や装置の運転状態や故障状態の検知を表示するためのLED又はLEDアレイを備える。接地ターミナルブロックは、故障電流が地面に触れたときに、接続された残留電流遮断機（RCCB)又は漏電遮断機（GFCI)を作動させるため、別個のワイヤーを内部的に、あるいは金属締め付け棒を備えたＤＩＮレールを通して、接地するために用いられてきた。この機能は感電や、電気器具や電気装置への損傷を防いでいる。接地ターミナルブロックは、パネルボードでの接地接続において必要不可欠の構成要素である。接地ターミナルブロックをパネルボードで使用した場合、接地配線は非常にアクセスし易く、組立、メンテナンスにおいて、時間と費用を節約できる。
【０００３】
接地ターミナルブロックにより、故障電流が残留電流遮断機又は漏電遮断機に送られ、残留電流遮断機又は漏電遮断機が作動する。しかし、停電時には、パネルボードで地絡箇所（地絡発生源、地絡原因）を特定することは不可能である。接地ターミナルブロック以外のターミナルブロックでは、装置の有効電流、運転状態及び故障状態の検知を表示するためのLEDを備えるが、停電時にはLEDは光らないし、地絡電流も地絡箇所も表示しない。地絡電流が発生し停電した場合、地絡箇所を特定し取り除くまで電力は戻らない。これは、地絡電流を流す電流遮断機（サーキットブレーカ）が、多くの場合、残留電流遮断機又は漏電遮断機と同時に作動しない（切れない）ため、問題となる。したがって、残留電流遮断機又は漏電遮断機が作動し停電になっただけでは、問題の原因（場所）は分からない。結果として、原因を追跡することは専門家にとって大変困難なものとなり、問題を解決することは初心者にはほぼ不可能である。当該問題がいつも深刻であるとは限らないが、時間と財政上の負担を強いられる。地絡電流状態では、停電のために、故障を見つけるまでに電気技術者には幾らかの時間が必要になる。従来の接地ターミナルブロックは地絡を追跡し配線を切断する間は大変有用であるが、地絡電流を示すことはできない。
【発明の概要】
【０００４】
上述の問題の解決方法は、本発明により、地絡を検出したときLEDを点灯させると共に停電後にLEDを点灯したままにする装置と接地ターミナルブロックとを結合することにより、もたらされる。地絡検出手段は接地ターミナルブロックの内部に設置される。この接地ターミナルブロックは、上部接続部からワイヤーを前記装置に連結し、この装置から下部接続部がＤＩＮレールへ連結されて接地接続を可能としている。前記装置は、地絡電流と接触すると、LEDを点灯させ、地絡箇所（漏電箇所）に非常にアクセス容易とする。接地ブロックの下部接続部から地絡電流を検出した時、前記装置はLEDを点灯させず、上部接続部から故障電流が通過した接地ブロックだけが確実に点灯するようにする。これにより、停電が迫ると、停電の原因である接地ターミナルブロックだけが確実に点灯する。本発明は、地絡状況において故障箇所を知らせる信号音響を備えることも出来る。これにより、地絡電流問題（発生事態）の発見がし易くなり、簡単に解決できるようになる。本発明の目的は、主に、専門家及び普通の人が地絡電流問題を扱いやすくすることにある。もう一つの目的は、時間とお金をかけず、箇所（原因）を示す接地ターミナルのLEDを点灯することで、より簡単かつ迅速に地絡電流問題を追跡することにある。
【０００５】
本発明は、ワイヤーを機械的かつ電気的に接地接続部に連結するために用いる、故障表示器を備える接地ターミナルブロックに関連する。この連結は、固定部材によってＤＩＮレールに固定される内部金属締め付け棒を通じて、そして、内部フィードスルー装置としてワイヤーを接地接続することによって、もたらされる。接地ターミナルブロックには金属締め付け棒が配置されているが、この締め付け棒の下部連結部分は直接接地ブロックの上部ワイヤー接続部に接続されない。上部ワイヤー接続部は、下部ワイヤー接続部へ連結し締め付け棒の下部ワイヤー接続部分がＤＩＮレールに接続する前に、地絡を表示する（警告する)装置へ直接繋がる。接地ターミナルブロックは、地絡電流が発生した時に点灯する、例えば発光ダイオード（LED）のような信号発信装置を組み込んでいる。故障電流が１つの接地ブロックを介してその接地ブロックの上部連結部から地絡検出装置へ流れた時、地絡を検知することでLEDを点灯させて地絡（漏電）を知らせ、ＤＩＮレールへ接続されている接地ブロックの下部連結部へ流す。LEDは、本発明に係る地絡検出装置によって制御される。本発明の新規な検出手段及び信号発信手段は、個別ワイヤーを接地接続部に接続するか、あるいは直接ＤＩＮレールへ接続する接地ターミナルブロックフィードスルー装置の一部として用いられる。
【０００６】
本発明の有利な効果は、維持される信号燈を用いることで、地絡電流が発生し停電した時に、故障を発見する時間と費用を抑えることにある。さらに別の効果として、問題原因を知らせる信号音がある。
【０００７】
本発明の第１の側面において、接地ターミナルブロックは、ハウジングと、第1及び第2ワイヤー接続部（差込口）と、前記第1及び第2ワイヤー接続部とそれぞれ連結する第1及び第2連結要素と、締め付け装置を備える。前記締め付け装置は、第２連結要素に接続されている。本発明は、接地ターミナルブロックがさらに、前記第1連結要素と前記締め付け装置に連結する故障検出装置を有することに特徴がある。
【０００８】
本発明の第２の側面において、本発明の接地ターミナルブロックを用いて、接地ターミナルブロックにおいて地絡電流故障原因をアクセス可能にするシステムが提供される。
【図面の簡単な説明】
【０００９】
【図１】図１は、本発明の接地ターミナルブロックの一実施形態における正面図を示す。
【図２】図２は、本発明の接地ターミナルブロックの図１の実施形態における側面図を示す。
【発明を実施するための形態】
【００１０】
本発明の接地ターミナルブロックは、残留電流遮断機又は漏電遮断機と組み合わせて用いられる。機械や電化製品から本発明を通ってDINレールや地面に流れる故障電流は、残留電流遮断機や漏電遮断機を作動させて、停電を起こさせる。故障電流が、残留電流遮断機と漏電遮断機が作動しない程度に小さい低故障電流状況において、本発明に係る表示LEDを、低故障電流を表示するための特別な色で光るように設定できる。本発明をさらに多くの接地ブロックに直列に繋げば、地絡検出装置は、一の接地ブロックの下部接続部から流れてくる漏電電流が他の接地ブロックの地絡表示LEDを点灯させないようにする。地絡検出装置は、故障電流が当該装置を通ったときにLEDをオンにし、および/又は、音響信号を発信するという意味で一種の切替装置である。当該装置がそれを行うのは、故障電流が上部連結要素から当該装置へと流れるときだけである。前記装置はLEDと信号音源のオン・オフを切り替えるだけであるが、常に状態を一定に保ち、接地ターミナルブロックを通じて直接接している。前記装置は、下部接続部から故障電流が流れたときにはLEDを点灯させず、故障電流を検知したとき電流が通った接地ターミナルブロックのLEDだけを確実に点灯させる。残留電流遮断機又は漏電遮断機が作動し停電となった後もLEDは点灯し続け、地絡原因を表示し、地絡原因にアクセス可能にする。故障を表示するLEDは、例えば、故障電流強度を示すために様々な色を点灯することが出来る。本発明はまた、信号音源を備えることが出来る。この信号音源は、停電時に地絡を知らせ、本発明をより便利にする。本発明は、図示された接地ターミナルブロックの形状、形態に限定されないが、当該技術分野で知られている全てのタイプの接地ターミナルブロックに関連している。
【００１１】
本発明の実施形態において、故障検出装置は、音響信号発信手段あるいは光信号発信手段等の信号発信手段に取り付けられる。光信号発信手段は、地絡（漏電）強度表示用の様々な色を表示できる。本発明によれば光信号発信手段は、地絡原因を特定するため少なくとも一つの発光ダイオード（LED）をさらに備えてもよく、該発光ダイオードは、前記ハウジングの前面であればどこでも設置され、アクセス可能である。本発明の一実施形態によれば、信号発信手段は、電力を回復させずに小さい故障電流を表示するために作動する。
【００１２】
本発明の一実施形態において、接地ターミナルブロックは、故障発生後に信号発信を持続するための手段をさらに備える。前記手段は、コンデンサーかバッテリーから選択できるが、これらに限定されるものではない。
【００１３】
本発明の一実施形態において、接地ターミナルブロックのハウジングは、接地ターミナルブロックの標準サイズの形態に形成され、ハウジングの一方の面がDINレールに取り付け可能である。
【００１４】
本発明の一実施形態において、地絡検知装置は、上部連結要素又は下部連結要素からDINレールに連結される。
【００１５】
本発明の一実施形態において、接地ターミナルブロックは、１つのターミナルブロックのハウジングにおいて、相線、中立線及び接地線が別々に接続されるマルチターミナルブロックユニットである。
【００１６】
図１は本発明の正面図を示し、上部（３）及び下部（７）のワイヤー接続部又はワイヤー差込口を表す。ワイヤーは接地ターミナルブロックに、上部（８）及び下部（９）の締め付けねじ又は差込式の接続部によって固定及び接続され、締め付け棒を通して接地接続する。信号発信手段（１１）は接地ターミナルブロックのハウジングの正面に示され、本実施形態においては発光ダイオード（１１）である。
【００１７】
図２は、接地ターミナルブロックの側面図を示しており、接地ターミナルブロックのハウジング（１）に支持された機能的要素を開示する。接地ターミナルブロックは、故障検出装置（２）を備え、締め付け棒（４）によってDINレールに固定される。上部ワイヤー接続部（３）は上部連結要素（５）と連結され、上部連結要素（５）は上部ワイヤー接続部（３）と故障検出装置（２）を連結する。故障検出装置（２）は締め付け棒（４）に連結され、さらに下部ワイヤー接続部（７）が連結された下部連結要素（６）に連結される。ワイヤーは接地ターミナルブロックに、上部（８）及び下部（９）の締め付けねじ又は差込式の接続部によって固定及び接続され、固定部材（１０）によってDINレールに固定された締め付け棒（４）を通して接地接続される。本実施形態が示す故障検出装置（２）は、地絡電流を表示する発光ダイオード（１１）を備えている。
【図１】
2011503572.tif 000003
【図２】
2011503572.tif 000004
【国際調査報告】
2011503572.tif 000005
2011503572.tif 000006